(57)【要約】【課題】  新規メガネ装置を着用したユーザがコンテンツビューを便利に利用することができるようにマルチビュー機能を提供するディスプレイ装置、そのディスプレイ装置と連動して駆動するメガネ装置およびその方法を提供する。【解決手段】  ディスプレイ装置が開示される。本装置は、複数のコンテンツビューを生成するビデオ処理部と、複数のコンテンツビューをディスプレイするディスプレイ部と、同期化信号を生成する同期化信号生成部と、同期化信号を伝送するための通信部と、メガネ装置との通信が接続されると、複数のコンテンツビューのうち制御可能なターゲットコンテンツビューに対する情報をメガネ装置に伝送する制御部とを含む。それにより、新たに接続されるメガネ装置がターゲットコンテンツビューと直ちに同期化されることができる。【選択図】  図６
2014032375.tif 000002
【特許請求の範囲】
【請求項１】
マルチビューモードが実行されると、複数のコンテンツを処理して複数のコンテンツビューを生成するビデオ処理部と、
前記複数のコンテンツビューをディスプレイするディスプレイ部と、
前記複数のコンテンツビューに対する同期化信号を生成する同期化信号生成部と、
前記同期化信号を伝送するための通信部と、
メガネ装置との通信が接続されると、前記複数のコンテンツビューのうち制御可能なターゲットコンテンツビューに対する情報を前記メガネ装置に伝送する制御部と
を含むディスプレイ装置。
【請求項２】
前記メガネ装置の接続状態を報知するＯＳＤ（Ｏｎ  Ｓｃｒｅｅｎ  Ｄｉｓｐｌａｙ）メッセージを前記ターゲットコンテンツビュー上に表示するＯＳＤ処理部と、
リモコン信号を受信するためのリモコン信号受信部と
を更に含み、
前記制御部は、前記リモコン信号に応じて前記ターゲットコンテンツビューを処理することを特徴とする請求項１に記載のディスプレイ装置。
【請求項３】
前記複数のコンテンツビューの各々に対応する複数のオーディオ信号を生成するオーディオ処理部と、
前記複数のオーディオ信号を互いに異なるチャネルを通じて出力するオーディオ信号出力部と
を更に含み、
前記制御部は、前記複数のオーディオ信号の音量レベルをデフォルト値に同様に設定することを特徴とする請求項２に記載のディスプレイ装置。
【請求項４】
前記マルチビューモードが終了すると、前記複数のコンテンツビューで最終的にディスプレイされていた各コンテンツに対する情報を保存する保存部を更に含み、
前記制御部は、
前記マルチビューモードが終了後、再度実行されると、前記保存部に保存された情報を用いてコンテンツを再度選択し、選択されたコンテンツを処理して前記複数のコンテンツビューで提供するように前記ビデオ処理部を制御することを特徴とする請求項１に記載のディスプレイ装置。
【請求項５】
複数のコンテンツビューをディスプレイするディスプレイ装置と連動するメガネ装置において、
第１および第２シャッタグラス部と、
前記第１および第２シャッタグラス部を個別に駆動させるシャッタグラス駆動部と、
前記ディスプレイ装置との通信接続が開始されると、前記複数のコンテンツビューの各々に対する同期化情報を含む同期化信号およびターゲットコンテンツビュー情報を受信する通信部と、
前記ターゲットコンテンツビュー情報に応じて前記複数のコンテンツビューのうちターゲットコンテンツビューに対応する同期化情報を選択し、選択された同期化情報を用いて前記第１および第２シャッタグラス部を駆動させるように、前記シャッタグラス駆動部を制御する制御部と
を含むメガネ装置。
【請求項６】
前記ディスプレイ装置から出力される複数のオーディオ信号のうち前記メガネ装置に同期化されたコンテンツビューに対応するオーディオ信号を受信するオーディオ信号受信部と、
前記受信されたオーディオ信号を処理してオーディオデータを検出するオーディオ信号処理部と、
前記オーディオデータを出力するオーディオ出力部と
を更に含むことを特徴とする請求項５に記載のメガネ装置。
【請求項７】
ユーザ命令を入力されるための入力部と、
保存部と
を更に含み、
前記制御部は、前記入力部を介して音量調整命令が入力されると、前記音量調整命令に従って前記オーディオデータの音量を調整するように前記オーディオ出力部を制御し、前記メガネ装置をターンオフさせるためのターンオフ命令が入力されると、最終的に調整された音量情報を前記保存部に保存し、ターンオフ動作を行うことを特徴とする請求項６に記載のメガネ装置。
【請求項８】
前記制御部は、
前記メガネ装置をターンオンさせるためのターンオン命令が前記入力部を介して入力されると、前記通信部を制御して前記ディスプレイ装置との通信を再接続し、前記保存部に保存された音量情報に基づいて前記オーディオデータの出力音量を調整するように前記オーディオ出力部を制御することを特徴とする請求項７に記載のメガネ装置。
【請求項９】
ディスプレイ装置のマルチビューディスプレイ方法において、
複数のコンテンツビューをディスプレイするステップと、
メガネ装置および前記ディスプレイ装置との間の通信接続が行われると、前記複数のコンテンツビューのうちターゲットコンテンツビューを判断するステップと、
前記メガネ装置が前記ターゲットコンテンツビューと同期化されるように前記ターゲットコンテンツビューに対する情報を前記メガネ装置に伝送するステップと
を含むマルチビューディスプレイ方法。
【請求項１０】
前記メガネ装置および前記ディスプレイ装置との間の通信が接続されると、前記メガネ装置の接続状態を報知するＯＳＤ（Ｏｎ  Ｓｃｒｅｅｎ  Ｄｉｓｐｌａｙ）メッセージを前記ターゲットコンテンツビュー上に表示するステップを更に含むことを特徴とする請求項９に記載のマルチビューディスプレイ方法。
【請求項１１】
前記複数のコンテンツビューの各々に対応する複数のオーディオ信号を生成するステップと、
前記複数のオーディオ信号を互いに異なるチャネルを通じて出力するステップと
を更に含み、
前記複数のオーディオ信号の音量レベルはデフォルト値に同様に設定されることを特徴とする請求項１０に記載のマルチビューディスプレイ方法。
【請求項１２】
前記複数のコンテンツは、以前のマルチビューモードの最終情報に基づいて選択されることを特徴とする請求項９に記載のマルチビューディスプレイ方法。
【請求項１３】
第１および第２シャッタグラス部を含むメガネ装置の駆動方法において、
複数のコンテンツビューをディスプレイするディスプレイ装置との通信を接続するステップと、
前記複数のコンテンツビューの各々に対する同期化情報を含む同期化信号およびターゲットコンテンツビュー情報を受信するステップと、
前記ターゲットコンテンツビュー情報に応じて前記複数のコンテンツビューのうちターゲットコンテンツビューに対応する同期化情報を選択するステップと、
選択された同期化情報を用いて前記第１および第２シャッタグラス部を駆動させるステップと
を含む駆動方法。
【請求項１４】
前記ディスプレイ装置から出力される複数のオーディオ信号のうち前記メガネ装置に同期化されたターゲットコンテンツビューに対応するオーディオ信号を受信するステップと、
前記受信されたオーディオ信号を処理してオーディオデータを検出するステップと、
前記オーディオデータを出力するステップと
を更に含むことを特徴とする請求項１３に記載の駆動方法。
【請求項１５】
音量調整命令が入力されると、前記音量調整命令に従って前記オーディオデータの音量を調整するステップと、
前記メガネ装置をターンオフさせるためのターンオフ命令が入力されると、最終的に調整された音量情報を保存し、ターンオフ動作を行うステップと、
前記メガネ装置をターンオンさせるためのターンオン命令が入力されると、予め保存されたアドレス情報を用いて前記ディスプレイ装置との通信を再接続するステップと、
前記保存された音量情報に基づいて前記オーディオデータの出力音量を調整するステップと
を含むことを特徴とする請求項１４に記載の駆動方法。
【発明の詳細な説明】
【技術分野】
【０００１】
本発明は、ディスプレイ装置とそれに連動するメガネ装置およびその方法に関し、より詳細には、複数のコンテンツビューをディスプレイするディスプレイ装置と、そのコンテンツビューの一つに同期化して駆動されるメガネ装置およびその方法に関する。
【背景技術】
【０００２】
電子技術の発達により、多様な電子製品が開発および普及されている。特に、テレビ、携帯電話、パソコン、ノートパソコン、ＰＤＡ等のような各種ディスプレイ装置は、多くの一般家庭でも使用されている。
【０００３】
ディスプレイ装置の使用が増え、より多様な機能に対するユーザからのニーズも増え続けてきた。それに伴い、ユーザからのニーズに応えるための各電子メーカーの取り組みも強化し、従来にはない新たな機能を備えた製品が登場しつつある。
【０００４】
その一つとして、マルチビューディスプレイ装置に対する開発努力が進められている。マルチビューディスプレイ装置とは、異なるコンテンツを用いて生成された複数のコンテンツビューを提供するマルチビュー機能を提供するディスプレイ装置を意味する。マルチビューディスプレイ装置が普及されると、複数のユーザが一つのマルチビューディスプレイ装置を利用しながらも、各自が望むコンテンツビューを他のユーザに干渉されることなく、視聴することができるようになる。従来のＰＩＰ（Ｐｉｃｔｕｒｅ  Ｉｎ  Ｐｉｃｔｕｒｅ）機能と違って、マルチビュー機能によると、各コンテンツビューのサイズが同一である。したがって、ＰＩＰ機能に比べて活用度が高いと期待されている。
【０００５】
マルチビュー機能によって各ユーザが自分の所望のコンテンツを視聴するためには、ユーザはマルチビューディスプレイ装置に対応するメガネ装置を使用しなければならない。メガネ装置は、マルチビューディスプレイ装置のタイプに応じてシャッタグラス方式または偏光方式等で実現されてよい。
【０００６】
一方、既存のユーザがマルチビューディスプレイ装置を使用している状態で、新たなユーザがマルチビューディスプレイ装置を視聴しようとする場合、そのユーザは新規メガネ装置を着用しなければならない。この場合、新規メガネ装置は、コンテンツビュー中、任意に定められた一つのコンテンツビューに同期化されて動作することができる。したがって、新規メガネ装置を着用したユーザは、メガネ装置の着用後に暫くは自分がどのようなコンテンツビューを見ているか把握することが困難であった。なお、新規メガネ装置を着用したユーザが自分の見るコンテンツビューをどのように変更するかに対する議論も不足していた。
【０００７】
それにより、複数のコンテンツビューを提供するマルチビューディスプレイ装置において、新規メガネ装置を着用したユーザが便利にコンテンツビューを利用することができるようにする技術を進める必要がある。
【発明の概要】
【発明が解決しようとする課題】
【０００８】
そこで、本発明は、上記問題に鑑みてなされたものであり、本発明の目的とするところは、新規メガネ装置を着用したユーザがコンテンツビューを便利に利用することができるようにマルチビュー機能を提供するディスプレイ装置、そのディスプレイ装置と連動して駆動するメガネ装置およびその方法を提供することにある。
【課題を解決するための手段】
【０００９】
上述の目的を達成するための本発明の一実施形態に係るディスプレイ装置は、複数のコンテンツを処理して複数のコンテンツビューを生成するビデオ処理部と、前記複数のコンテンツビューをディスプレイするディスプレイ部と、前記複数のコンテンツビューに対する同期化信号を生成する同期化信号生成部と、前記同期化信号を伝送するための通信部と、メガネ装置との通信が接続されると、前記複数のコンテンツビューのうち制御可能なターゲットコンテンツビューに対する情報を前記メガネ装置に伝送する制御部とを含む。
【００１０】
そして、前記メガネ装置の接続状態を報知するＯＳＤ（Ｏｎ  Ｓｃｒｅｅｎ  Ｄｉｓｐｌａｙ）メッセージを前記ターゲットコンテンツビュー上に表示するＯＳＤ処理部と、リモコン信号を受信するためのリモコン信号受信部とを更に含んでよい。前記制御部は、前記リモコン信号に応じて前記ターゲットコンテンツビューを処理してよい。
【００１１】
なお、前記複数のコンテンツビューの各々に対応する複数のオーディオ信号を生成するオーディオ処理部と、前記複数のオーディオ信号を互いに異なるチャネルを通じて出力するオーディオ信号出力部とを更に含んでよい。
【００１２】
この場合、前記制御部は、前記複数のオーディオ信号の音量レベルをデフォルト値に同様に設定してよい。
【００１３】
そして、前記通信部は、前記メガネ装置からペアリングトリガー信号が受信されると、前記ディスプレイ装置のアドレス情報を伝送し、前記アドレス情報に対応する応答信号が前記メガネ装置から受信されると、前記ターゲットコンテンツビューに対する情報を前記メガネ装置に伝送してよい。
【００１４】
なお、ディスプレイ装置は、前記マルチビューモードが終了すると、前記複数のコンテンツビューで最終的にディスプレイされていた各コンテンツに対する情報を保存する保存部を更に含んでよい。
【００１５】
ここで、前記制御部は、前記マルチビューモードが終了後、再度実行されると、前記保存部に保存された情報を用いてコンテンツを再度選択し、選択されたコンテンツを処理して前記複数のコンテンツビューで提供するように前記ビデオ処理部を制御してよい。
【００１６】
一方、本発明の一実施形態によると、複数のコンテンツビューをディスプレイするディスプレイ装置と連動するメガネ装置は、第１および第２シャッタグラス部と、前記第１および第２シャッタグラス部を個別に駆動させるシャッタグラス駆動部と、前記ディスプレイ装置との通信接続が開始されると、前記複数のコンテンツビューの各々に対する同期化情報を含む同期化信号およびターゲットコンテンツビュー情報を受信する通信部と、前記ターゲットコンテンツビュー情報に応じて前記複数のコンテンツビューのうちターゲットコンテンツビューに対応する同期化情報を選択し、選択された同期化情報を用いて前記第１および第２シャッタグラス部を駆動させるように、前記シャッタグラス駆動部を制御する制御部とを含む。
【００１７】
本メガネ装置は、前記ディスプレイ装置から出力される複数のオーディオ信号のうち前記メガネ装置に同期化されたコンテンツビューに対応するオーディオ信号を受信するオーディオ信号受信部と、前記受信されたオーディオ信号を処理してオーディオデータを検出するオーディオ信号処理部と、前記オーディオデータを出力するオーディオ出力部とを更に含んでよい。
【００１８】
なお、本メガネ装置は、ユーザ命令を入力されるための入力部と、保存部とを更に含んでよい。ここで、前記制御部は、前記入力部を介して音量調整命令が入力されると、前記音量調整命令に従って前記オーディオデータの音量を調整するように前記オーディオ出力部を制御し、前記メガネ装置をターンオフさせるためのターンオフ命令が入力されると、最終的に調整された音量情報を前記保存部に保存し、ターンオフ動作を行ってよい。
【００１９】
なお、前記制御部は、前記メガネ装置をターンオンさせるためのターンオン命令が前記入力部を介して入力されると、前記通信部を制御して前記ディスプレイ装置との通信を再接続し、前記保存部に保存された音量情報に基づいて前記オーディオデータの出力音量を調整するように前記オーディオ出力部を制御してよい。
【００２０】
なお、前記制御部は、前記ディスプレイ装置とのペアリングが行われると、前記ディスプレイ装置でデフォルト値に設定された音量レベルに応じて、前記オーディオデータの音量を調整するように前記オーディオ出力部を制御してよい。
【００２１】
そして、前記制御部は、前記ディスプレイ装置に対するペアリング命令が入力されると、前記ディスプレイ装置にペアリングトリガー信号を伝送するように前記通信部を制御し、前記ディスプレイ装置からアドレス情報が受信されると、前記アドレス情報を前記保存部に保存し、前記アドレス情報を用いて前記ディスプレイ装置と通信接続を行うように前記通信部を制御し、前記ディスプレイ装置の電源がターンオフされてからターンオンされると、前記保存部に保存されたアドレス情報を用いて前記ディスプレイ装置と通信再接続を行うように前記通信部を制御してよい。
【００２２】
一方、本発明の一実施形態に係るディスプレイ装置のマルチビューディスプレイ方法は、複数のコンテンツビューをディスプレイするステップと、メガネ装置および前記ディスプレイ装置との間の通信接続が行われると、前記複数のコンテンツビューのうちターゲットコンテンツビューを判断するステップと、前記メガネ装置が前記ターゲットコンテンツビューと同期化されるように前記ターゲットコンテンツビューに対する情報を前記メガネ装置に伝送するステップとを含む。
【００２３】
なお、マルチビューディスプレイ方法は、前記メガネ装置および前記ディスプレイ装置との間の通信が接続されると、前記メガネ装置の接続状態を報知するＯＳＤ（Ｏｎ  Ｓｃｒｅｅｎ  Ｄｉｓｐｌａｙ）メッセージを前記ターゲットコンテンツビュー上に表示するステップを更に含んでよい。
【００２４】
または、前記複数のコンテンツビューの各々に対応する複数のオーディオ信号を生成するステップと、前記複数のオーディオ信号を互いに異なるチャネルを通じて出力するステップとを更に含んでよい。この場合、前記複数のオーディオ信号の音量レベルはデフォルト値に同様に設定されてよい。
【００２５】
そして、前記複数のコンテンツは、以前のマルチビューモードの最終の実行情報に基づいて選択されてよい。
【００２６】
一方、本発明の一実施形態によると、第１および第２シャッタグラス部を含むメガネ装置の駆動方法は、複数のコンテンツビューをディスプレイするディスプレイ装置との通信を接続するステップと、前記複数のコンテンツビューの各々に対する同期化情報を含む同期化信号およびターゲットコンテンツビュー情報を受信するステップと、前記ターゲットコンテンツビュー情報に応じて前記複数のコンテンツビューのうちターゲットコンテンツビューに対応する同期化情報を選択するステップと、選択された同期化情報を用いて前記第１および第２シャッタグラス部を駆動させるステップとを含む。
【００２７】
そして、前記ディスプレイ装置から出力される複数のオーディオ信号のうち前記メガネ装置に同期化されたターゲットコンテンツビューに対応するオーディオ信号を受信するステップと、前記受信されたオーディオ信号を処理してオーディオデータを検出するステップと、前記オーディオデータを出力するステップとを更に含んでよい。
【００２８】
なお、音量調整命令が入力されると、前記音量調整命令に従って前記オーディオデータの音量を調整するステップと、前記メガネ装置をターンオフさせるためのターンオフ命令が入力されると、最終的に調整された音量情報を保存し、ターンオフ動作を行うステップと、前記メガネ装置をターンオンさせるためのターンオン命令が入力されると、予め保存されたアドレス情報を用いて前記ディスプレイ装置との通信を再接続するステップと、前記保存された音量情報に基づいて前記オーディオデータの出力音量を調整するステップとを含んでよい。
【００２９】
なお、本駆動方法は、前記ディスプレイ装置とのペアリングが行われると、前記ディスプレイ装置でデフォルト値に設定された音量レベルに応じて、前記オーディオデータの音量を調整するステップを更に含んでよい。
【００３０】
そして、本駆動方法において、前記通信を接続するステップは、前記ディスプレイ装置に対するペアリング命令が入力されると、前記ディスプレイ装置にペアリングトリガー信号を伝送するステップと、前記ディスプレイ装置からアドレス情報が受信されると、前記アドレス情報を保存するステップと、前記アドレス情報を用いて前記ディスプレイ装置に応答信号を伝送するステップとを含んでよい。
【発明の効果】
【００３１】
以上説明したように、本発明によれば、新規メガネ装置がディスプレイ装置に接続される場合、その新規メガネ装置がディスプレイ装置に対する情報を容易に把握し、便利に利用することができるようにする。それにより、ユーザの便宜性が大きく増大する。
【図面の簡単な説明】
【００３２】
【図１】本発明の一実施形態に係るディスプレイ装置において二つの２Ｄコンテンツを用いてマルチビュー機能を提供する状態を示す図である。
【図２】本発明の一実施形態に係るディスプレイ装置において二つの３Ｄコンテンツを用いてマルチビュー機能を提供する状態を示す図である。
【図３】本発明の一実施形態に係るディスプレイ装置の構成を示すブロック図である。
【図４】リモコンを用いてターゲットコンテンツビューを選択するディスプレイ装置の動作を説明するための図である。
【図５】リモコンを用いてターゲットコンテンツビューを選択するディスプレイ装置の動作を説明するための図である。
【図６】新規メガネ装置が追加された際の動作を説明するための図である。
【図７】ディスプレイ装置およびメガネ装置の間のペアリング過程を説明するための図である。
【図８】ディスプレイ装置およびメガネ装置の間の通信再接続過程を説明するための図である。
【図９】ディスプレイ装置およびメガネ装置の間で伝送されるパケット構成の一例を示す図である。
【図１０】本発明の別の実施形態に係るディスプレイ装置の構成を説明するためのブロック図である。
【図１１】制御部の構成の一例を示すブロック図である。
【図１２】本発明の一実施形態に係るディスプレイ装置のマルチビューディスプレイ方法を説明するためのフローチャートである。
【図１３】本発明の一実施形態に係るメガネ装置の構成を示すブロック図である。
【図１４】本発明の別の実施形態に係るメガネ装置の構成を示すブロック図である。
【図１５】メガネ装置の外観構成の一例を示す図である。
【図１６】本発明の一実施形態に係るメガネ装置の駆動方法を説明するためのフローチャートである。
【図１７】ディスプレイ装置との通信接続条件によるメガネ装置の駆動方法を説明するためのフローチャートである。
【図１８】本発明の一実施形態に係るディスプレイ装置でマルチビューモードを開始するための画面構成の多様な例を示す図である。
【図１９】本発明の一実施形態に係るディスプレイ装置でマルチビューモードを開始するための画面構成の多様な例を示す図である。
【図２０】ディスプレイ装置およびメガネ装置との間の具体的な動作を説明するための図である。
【図２１】メガネ装置がペアリングされる際のディスプレイ装置の動作例を説明するための図である。
【図２２】メガネ装置がペアリングされる際のディスプレイ装置の動作例を説明するための図である。
【発明を実施するための形態】
【００３３】
以下に添付図面を参照しながら、本発明の好適な実施形態について詳細に説明する。
【００３４】
図１および図２は、本発明の一実施形態に係るディスプレイシステムの構成および動作を示す図である。ディスプレイシステムは、ディスプレイ装置１００およびメガネ装置２００−１、２００−２を含む。図１および図２においては、ディスプレイ装置１００がテレビで実現された場合を示しているが、ディスプレイ装置１００は、テレビの他に、携帯電話、ＰＤＡ、ノートパソコン、モニタ、タブレットパソコン、電子書籍、デジタルフォトフレーム、キヨスク端末等のように、ディスプレイユニットを備えた多様な装置であってよい。
【００３５】
ディスプレイ装置１００は、マルチビュー機能を提供する。マルチビュー機能とは、複数の異なるコンテンツを一つのディスプレイ装置１００を用いて提供する機能である。図１および図２のように、二つのコンテンツをディスプレイする場合には、デュアルビュー機能と呼んでよいが、本明細書では、マルチビュー機能とまとめて説明する。マルチビュー機能が選択されると、ディスプレイ装置１００は複数のコンテンツビューを生成し、各コンテンツビューを順次にディスプレイする。
【００３６】
図１においては、二つの２ＤコンテンツＡ、Ｂを用いて複数のコンテンツビューを構成して交互にディスプレイする状態を示す。図１では、説明の便宜のために、各コンテンツビューをＡ、Ｂで示している。ここで、コンテンツＡ、Ｂは放送チャネルを通じて受信される放送番組、ネットワークソースから提供されるマルチメディアコンテンツ、ディスプレイ装置１００の内部または外部に設けられた保存素子に保存されたマルチメディアコンテンツ等のように多様なコンテンツであってよい。なお、コンテンツＡ、Ｂは、動画コンテンツだけでなく、停止映像、テキスト等のように、オーディオが排除されたコンテンツであってよい。
【００３７】
メガネ装置２００−１、２００−２は、シャッタグラス方式で実現されてよい。シャッタグラス方式とは、左眼グラスに設けられた液晶シャッタおよび右眼グラスに設けられた液晶シャッタを個別にターンオンまたはターンオフさせて偏光方向を個別に調整する方式である。すなわち、コンテンツＡにマッチする第１メガネ装置２００−１は、コンテンツビューＡが出力されるタイミングに合わせて左眼グラスおよび右眼グラスをすべてターンオンさせ、コンテンツビューＢが出力されるタイミングに合わせて左眼グラスおよび右眼グラスをすべてターンオフさせる。それにより、第１メガネ装置２００−１を着用したユーザは、コンテンツビューＡのみを認識することができる。
【００３８】
一方、コンテンツＢにマッチする第２メガネ装置２００−２は、コンテンツＢが出力されるタイミングに合わせて各グラスをターンオンさせる。それにより、第２メガネ装置２００−２を着用したユーザはコンテンツビューＢのみを認識することができる。
【００３９】
各メガネ装置２００−１、２００−２が、各コンテンツビューの出力タイミングで同期化して駆動できるように、ディスプレイ装置１００は同期化信号を伝送する。同期化信号は、ディスプレイ装置１００におけるコンテンツビューのディスプレイタイミングと当該コンテンツビューにマッチするメガネ装置のシャッタグラス駆動タイミングを同期化させるための信号である。実現例によって、同期化信号は、一つのコンテンツビューのディスプレイタイミングを報知するための形態で実現されてよく、全コンテンツビューの各々に対する同期化信号を含む形態で実現されてよい。
【００４０】
同期化信号は、多様な方式で伝送されてよい。仮に、ＩＲ信号、ＲＦ信号等をブロードキャストする形態で伝送されてよく、ブルートゥース、ＷｉＦｉ、Ｚｉｇｂｅｅ（登録商標）、ＩＥＥＥ等のような多様な無線通信プロトコルによって伝送されてよい。以下では、ブルートゥース方式によって同期化信号が伝送される場合を基準として説明する。
【００４１】
図２においては、二つの３ＤコンテンツＡ、Ｂを用いてマルチビュー機能を行う場合を示す。３Ｄコンテンツは、左眼映像および右眼映像を含む。それにより、コンテンツＡは左眼映像コンテンツビューＡＬと、右眼映像コンテンツビューＡＲで構成され、コンテンツＢは左眼映像コンテンツビューＢＬと、右眼映像コンテンツビューＢＲで構成される。それにより、ＡＬ、ＡＲ、ＢＬ、ＢＲが順次にディスプレイされる。
【００４２】
第１メガネ装置２００−１は、コンテンツＡの左眼映像コンテンツビューＡＬの出力タイミングで同期化させて左眼グラスを駆動させ、コンテンツＡの右眼映像コンテンツビューＡＲの出力タイミングで同期化させて右眼グラスを駆動させる。それにより、第１メガネ装置２００−１を着用したユーザは、３ＤコンテンツＡを立体感を感じながら視聴することができる。一方、第２メガネ装置２００−２は、コンテンツＢの左眼映像コンテンツビューＢＬの出力タイミングで同期化させて左眼グラスを駆動させ、コンテンツＢの右眼映像コンテンツビューＢＲの出力タイミングで同期化させて右眼グラスを駆動させる。それにより、第２ガネ装置２００−２を着用したユーザは、３ＤコンテンツＢを立体感を感じながら視聴することができる。
【００４３】
図１および図２のディスプレイシステムは、マルチビュー機能以外に、一つの３Ｄコンテンツを再生する機能も行うことができる。一つの３Ｄコンテンツを再生する場合、各メガネ装置２００−１、２００−２は、左眼映像および右眼映像のディスプレイタイミングに合わせて左眼グラスおよび右眼グラスを交互に駆動させる。３Ｄコンテンツを再生するディスプレイシステムの動作に対する図示および説明は省略する。
【００４４】
このようなディスプレイシステムにおいて、ディスプレイ装置１００はメガネ装置との通信が接続されると、ディスプレイ装置１００は同期化信号を提供する。各メガネ装置２００−１、２００−２は、同期化信号を用いて各シャッタグラス部を駆動させることができる。それにより、現在ディスプレイ装置１００でディスプレイされるコンテンツビューのうち、メガネ装置２００−１、２００−２のユーザが見ようとするコンテンツビューの出力タイミングで同期化することができる。
【００４５】
図３は、本発明の一実施形態に係るディスプレイ装置の構成を示すブロック図である。図３によると、ディスプレイ装置１００は、リモコン信号受信部１１０と、制御部１２０と、同期化信号生成部１３０と、通信部１４０と、ビデオ処理部１５０およびディスプレイ部１６０を含む。
【００４６】
リモコン信号受信部１１０は、リモコンからリモコン信号を受信する。リモコン信号は、多様な通信方式により伝送されてよい。一例として、リモコン信号は、リードコード、カスタムコード、データコード等で組み合わせられたコード信号で構成されてよく、製造メーカーまたは製品別に定められた周波数帯域に含まれるキャリア周波数信号を用いて伝送されてよい。
【００４７】
制御部１２０は、リモコン信号受信部１１０で受信されるリモコン信号によって多様な動作を行う。一例として、ターンオン命令が入力されると、制御部１２０はディスプレイ装置１００の内部の各構成要素に電源を供給してターンオンさせることができる。または、チャネル転換命令や音量調整命令等が入力されると、制御部１２０はそれによってチャネル転換動作や音量調整動作等を行ってよい。図３では、リモコン信号受信部１１０のみを示しているが、制御部１２０はディスプレイ装置１００に設けられた各種ボタンのような入力手段を通じて入力されるユーザ命令によっても、多様な制御動作を行うことができる。
【００４８】
制御部１２０は、マルチビュー機能を実行させるための命令が入力されると、複数のコンテンツを処理して複数のコンテンツビューを生成するように、ビデオ処理部１５０を制御する。ここでのコンテンツは、上述のように、多様なソースから提供されるマルチメディアコンテンツであってよい。なお、コンテンツビューとは、各コンテンツのビデオフレームを意味する。コンテンツ提供ソースおよびその種類に対しては、後述する。
【００４９】
ビデオ処理部１５０は、各コンテンツからビデオデータを検出した後、そのビデオデータを用いてビデオフレームを生成する。ビデオ処理部１５０は、互いに異なるコンテンツに基づいて生成されたビデオフレームを少なくとも一回ずつ交互に配置し、出力データを構成する。
【００５０】
ディスプレイ部１６０は、ビデオ処理部１５０で構成された出力データの提供を受けて、複数のコンテンツビューを交互にディスプレイする。
【００５１】
ビデオ処理部１５０およびディスプレイ部１６０は、コンテンツを出力する出力部１０００を構成する。出力部１０００には、ビデオ処理部１５０およびディスプレイ部１６０の他にも、多様な追加構成が更に含まれてよいが、本発明の説明と関係のない箇所に対しては、具体的な図示および説明は省略する。
【００５２】
同期化信号生成部１３０は、複数のコンテンツビューに対する同期化信号を生成する。同期化信号は、ディスプレイ装置１００およびメガネ装置との間に適用された無線通信方式によって多様な形態で生成されてよい。仮に、ＲＦ信号、ＩＲ信号形態で生成されたり、ブルートゥース、Ｚｉｇｂｅｅ、Ｗｉ−Ｆｉ、ＩＥＥＥの他の多様な各種無線通信規格によるデータパケット形態で生成されてよい。
【００５３】
上述のように、同期化信号は実施形態によって多様な形態で実現されてよく、多様な情報を含んでよい。
【００５４】
一例として、同期化信号は各コンテンツビュー別に生成されて伝送されてよい。この場合、キャリア信号の周波数をコンテンツビューの個数に応じて複数に割り当て、各コンテンツビューのディスプレイタイミングでライジングエッジ（Ｒｉｓｉｎｇ  ｅｄｇｅ）またはフォーリングエッジ（Ｆａｌｌｉｎｇ  ｅｄｇｅ）が形成されるクロック信号を各周波数信号に変調して出力することができる。
【００５５】
別の例として、同期化信号は全コンテンツビューの各々に対する同期化情報をすべて含む形態で伝送されてよい。この場合、メガネ装置はそれを受信して保存し、ユーザの選択によって特定コンテンツビューに対応する同期化情報を用いて同期化を行うことができる。
【００５６】
具体的には、同期化信号は、基準クロック信号と、その基準クロック信号を基準に各コンテンツビューのディスプレイタイミングを報知するための同期化情報を含んでよい。同期化情報は、基準クロック信号内の特定ポイント、仮に、ライジングエッジまたはフォーリングエッジから各コンテンツビューのディスプレイタイミングまで所要するディレイタイム情報からなってよい。
【００５７】
または、同期化信号は、複数の同期化周期で区分されてよい。各同期化周期は、同期化情報を表すパルスのライジングエッジまたはフォーリングエッジによって区分される。同期化信号生成部１３０は、毎同期化周期ごとに、現在マルチビュー機能が実行中の状態か、３Ｄコンテンツを再生している状態か否かを報知するための状態情報、各コンテンツビューの出力タイミングとシャッタグラス駆動タイミングとを同期化させるためのタイミング情報等を含んでよい。タイミング情報は、各コンテンツビューの出力タイミングを直接報知するｓｙｎｃ情報で実現されてよく、基準タイミング情報およびその基準タイミングから各コンテンツビューの出力タイミングまでのディレイタイムを表すディレイ情報を含む形態で実現されてよい。その他にも、同期化信号には、実施形態によって多様な情報が含まれてよい。仮に、ディスプレイ装置１００にペアリングされた全メガネ装置の固有情報が含まれてよい。
【００５８】
通信部１４０は、同期化信号生成部１３０から生成された同期化信号を外部のメガネ装置に伝送する。通信部１４０は、上述の多様な通信方式によってメガネ装置との通信を行うことができる。
【００５９】
一方、制御部１２０は、マルチビュー機能が実行されて複数のコンテンツビューがディスプレイされている場合、そのコンテンツビューのうち、リモコンによって制御可能なターゲットコンテンツビューを選択することができる。ここで、ターゲットコンテンツビューとは、リモコンによる制御権限が与えられたビューを意味する。ターゲットコンテンツビューは、ユーザの選択によって変更されてよい。すなわち。ユーザはリモコンに設けられた各種キーを操作し、自分のメガネ装置が同期化されたコンテンツビューをターゲットコンテンツビューに選択することができる。
【００６０】
制御部１２０は、リモコン信号が受信されると、複数のコンテンツビューのうち、ターゲットコンテンツビューをリモコン信号に応じて処理する。仮に、ターゲットコンテンツビューに表示されるコンテンツが放送信号なら、チャネルキーや音量キーを選択して、チャネルや音量等を調整することもでき、コンテンツがマルチメディアコンテンツファイルなら、コンテンツ変更、巻き戻し、早送り、再生、一時停止、再生停止等の動作を制御することができる。
【００６１】
制御部１２０は、新規メガネ装置が通信部１４０に接続されると、ターゲットコンテンツビューに対する情報を新規メガネ装置に伝送するように通信部１４０を制御する。それにより、新規メガネ装置がターゲットコンテンツビューに同期化されるようにする。ここで、新規メガネ装置とは、ディスプレイ装置との通信が途絶えている状態でペアリングを行ったり、通信再接続を行って通信接続状態になったメガネ装置を意味する。図４および図５においては、リモコン制御権限が与えられたコンテンツビュー、すなわち、ターゲットコンテンツビューの変更動作を説明するための図である。
【００６２】
図４および図５によると、ディスプレイ装置１００は互いに異なるコンテンツに対するコンテンツビューＡ、Ｂを順次ディスプレイする。ユーザは、リモコン３００に設けられたキーのうち、リモコン制御権限を変更する機能が割り当てられた特定キーを用いてターゲットコンテンツビューを変更することができる。一例として、左方向キーに第１コンテンツビューに転換するための機能がマッチされ、右方向キーに第２コンテンツビューに転換するための機能がマッチされているとすると、制御部１２０は、左方向キー信号が入力されると第１コンテンツビューＡをターゲットコンテンツビューに選択し、右方向キー信号が入力されると第２コンテンツビューＢをターゲットコンテンツビューに選択することができる。
【００６３】
または、１番キーや２番キー等のような数字キーに対して制御権限変更機能がマッチされてよく、その他に一つの単一キーに対してこのような機能がマッチされてよい。この場合、リモコン３００は当該キーが押されると、制御権限変更命令を含むリモコン信号をディスプレイ装置１００に伝送する。制御部１２０は、コンテンツＡがターゲットコンテンツビューである状態で制御権限変更命令が受信されると、コンテンツＡをターゲットコンテンツビューに選択する。すなわち、制御部１２０は、制御権限変更命令を含むリモコン信号が受信される度にコンテンツビューの次の順のコンテンツビューをターゲットコンテンツビューに選択することができる。
【００６４】
図４においては、コンテンツビューＡがターゲットコンテンツビューに選択された状態を示す。ターゲットコンテンツビューＡに対してはリモコンで制御可能な状態であることを報知するＯＳＤメッセージ１０が表示される。
【００６５】
このような状態で、リモコン３００が操作されると、図５に示すように、コンテンツビューＢがターゲットコンテンツビューに選択される。それにより、ＯＳＤメッセージ１０はターゲットコンテンツビューＢに表示される。
【００６６】
制御部１２０は、内部メモリ（図示せず）でターゲットコンテンツビューを指定するための用途に設けられた制御権限設定領域を用いてターゲットコンテンツビューを設定することができる。仮に、二つのコンテンツビューが提供されるデュアルビューモードが実行されている状態で、第１コンテンツビューがターゲットコンテンツビューに選択された場合には、制御部１２０は、制御権限設定領域にデジタルコード００を記録することができる。一方、第２コンテンツビューがターゲットコンテンツビューに選択された場合には、制御部１２０はデジタルコード０１を記録することができる。制御部１２０は、制御権限変更命令が入力されると、デジタルコードを００から０１に、または０１から００に変更する。その後に、制御部１２０は、多様な制御信号が入力されると、制御権限設定領域に記録されたコードを確認して処理するコンテンツビューを決定する。制御部１２０は、決定されたコンテンツビューを処理する構成要素の動作を制御し、入力された制御信号に応じてコンテンツビューを処理することができる。具体的な動作については、詳細に後述する。
【００６７】
一方、図４および図５においては、リモコンで制御可能な状態であることを報知するためのＯＳＤメッセージ１０のみがターゲットコンテンツビューに表示されるものとして図示しているが、その他に多様なＯＳＤメッセージもコンテンツビューに表示されてよい。
【００６８】
仮に、新規メガネ装置との通信が接続されたときにも、制御部１２０は、その事実を報知するＯＳＤメッセージをコンテンツビューに表示することができる。この場合、複数のコンテンツビューのうち、ターゲットコンテンツビューに選択されたコンテンツビューに対してのみＯＳＤメッセージが表示されてよい。通信接続とは、メガネ装置が最初にペアリング（Ｐａｉｒｉｎｇ）される場合だけでなく、最初にペアリングされて通信が行われる途中に遮断され、その後に再接続される場合も含んでよい。
【００６９】
上述のように、制御部１２０は、新規メガネ装置とディスプレイ装置１００の通信が接続されると、その時点でターゲットコンテンツビューに選択されたコンテンツビューに対して新規メガネ装置が同期化されるように、ターゲットコンテンツビューに対する情報を新規メガネ装置に伝送する。それにより、新規メガネ装置が通信接続の後に、ターゲットコンテンツビューの出力タイミングに合わせて自動的に同期化されてよい。
【００７０】
図６は、新規メガネ装置とディスプレイ装置との間の通信が接続された状態を示す図である。図６によると、ディスプレイ装置１００は、二つのコンテンツビューＡ，Ｂを交互にディスプレイする。ディスプレイ装置１００は、各コンテンツビューとメガネ装置とが同期化されるように、同期化信号を伝送する。
【００７１】
図６においては、第１および第２メガネ装置２００−１、２００−２がディスプレイ装置１００と既に通信が接続されている状態を示す。このうち、第１メガネ装置２００−１は第１コンテンツビューＡの出力タイミングで同期化されて左右シャッタグラスをターンオンさせ、第２メガネ装置２００−２は第２コンテンツビューＢの出力タイミングで同期化されて左右シャッタグラスをターンオンさせている状態を仮定する。上述のように、第１および第２メガネ装置２００−１、２００−２のユーザは、リモコン３００の制御権限を選択的に有してよい。図６では、第２コンテンツビューＢがターゲットコンテンツビューに選択された状態を示す。
【００７２】
このような状態で、新たに第３および第４メガネ装置２００−３、２００−４がペアリングされると、ディスプレイ装置１００は第２コンテンツビューＢがリモコンによって制御可能な状態であることを報知する情報、すなわち、ターゲットコンテンツビューに対する情報を第３および第４メガネ装置２００−３、２００−４に伝送する。第３および第４メガネ装置２００−３、２００−４は通信が完了すると、同期化信号に基づいて第２コンテンツビューＢに直ちに同期化される。第３および第４メガネ装置２００−３、２００−４が通信接続されると、ディスプレイ装置１００はその接続状態を報知するためのメッセージ２０をターゲットコンテンツビューである第２コンテンツビューＢに表示する。それにより、第３および第４メガネ装置２００−３、２００−４を着用したユーザは、自分のメガネ装置が正常にペアリングされていることをすぐ把握することができ、リモコン３００を用いて自分のコンテンツビューＢに対する処理動作を制御することができる。
【００７３】
上述の実施形態においては、ディスプレイ装置１００がターゲットコンテンツビューに対する情報をメガネ装置に伝送し、メガネ装置がターゲットコンテンツビューに自動的に同期化されるものとして説明したが、本発明の別の実施形態によると、制御部１２０が新規メガネ装置を直接ターゲットコンテンツビューにマッチさせることもできる。このような実施形態によると、制御部１２０はターゲットコンテンツビューに対する情報を新規メガネ装置に伝送する代わりに、ターゲットコンテンツビューの出力タイミングに対応する同期化信号を新規メガネ装置に伝送することができる。すなわち、制御部１２０は、各メガネ装置がペアリングされて複数のコンテンツビューのうちの一つにマッチされると、そのメガネ装置のＩＤを当該コンテンツビュー情報とともに保存する。制御部１２０は、当該コンテンツビューの出力タイミング情報に合った同期化信号を生成し、当該メガネ装置のＩＤを用いて伝送する。このような実施形態では、同期化信号が各コンテンツビューごとに異なるように生成されて伝送されてよい。その他の構成要素に対しては、図３において説明した構成要素の動作と類似しているため、本実施形態に対する具体的な図示および説明は省略する。
【００７４】
図７は、本発明の一実施形態に係るディスプレイ装置１００およびメガネ装置２００との間の動作を説明するためのタイミング図である。図７は、ディスプレイ装置１００がマルチビュー機能を実行中の状態でメガネ装置２００が接続される場合を示す。
【００７５】
図７によると、メガネ装置２００を着用したユーザは、メガネ装置２００に設けられたキーを操作してペアリング命令を入力することができる（Ｓ７１０）。ペアリング命令が入力されると、メガネ装置２００はペアリングトリガー信号をディスプレイ装置１００に伝送する（Ｓ７２０）。ペアリングトリガー信号には、メガネ装置２００のアドレス情報をはじめとする多様な情報が含まれてよい。ペアリングトリガー信号は他にインクワイアリー（ｉｎｑｕｉｒｙ）信号と称してよい。ペアリングトリガー信号は、ディスプレイ装置１００をはじめとする周辺装置にブロードキャストされてよい。
【００７６】
ディスプレイ装置１００は、ペアリングトリガー信号が受信されると、アドレス情報を含む応答信号をメガネ装置２００に伝送する（Ｓ７３０）。メガネ装置２００は、応答信号に含まれたアドレス情報を保存する（Ｓ７４０）。メガネ装置２００は、保存されたアドレス情報を用いて応答信号を伝送する（Ｓ７５０）。応答信号には、ディスプレイ装置とのペアリングのための多様な情報が含まれてよい。このような信号のフォーマットは、通信方式によって多様に決定されてよい。具体的な信号フォーマットについては、詳細に後述する。
【００７７】
ディスプレイ装置１００は、応答信号が受信されると、その受信された応答信号に含まれた情報を用いてメガネ装置２００との通信リンクを開設する。
【００７８】
メガネ装置２００との通信接続が行われると、ディスプレイ装置１００は複数のコンテンツビューのうち、リモコンによって制御可能なコンテンツビュー、すなわち、ターゲットコンテンツビューが何かを判断する（Ｓ７６０）。ディスプレイ装置１００は、ターゲットコンテンツビューが判断されると、そのコンテンツビューに対する情報をメガネ装置２００に伝送する（Ｓ７７０）。なお、ディスプレイ装置１００は同期化信号をメガネ装置２００に伝送する（Ｓ７８０）。ターゲットコンテンツビュー情報または同期化信号にはディスプレイ装置１００の現在の動作状態に対する情報が含まれてよい。仮に、現在ディスプレイされているコンテンツが３Ｄコンテンツか、２Ｄコンテンツか、または単一コンテンツをディスプレイしているか、複数のコンテンツを処理するマルチビューモードで動作する状態か等に対する情報がメガネ装置２００に提供されてよい。メガネ装置２００は、同期化信号およびターゲットコンテンツビュー情報を用いてターゲットコンテンツビューと直ちに同期化されて駆動する（Ｓ７９０）。すなわち、マルチビューモードで動作している場合、メガネ装置２００は左眼シャッタグラスおよび右眼シャッタグラスをターゲットコンテンツビューの出力タイミングに合わせて一括でターンオンさせる。
【００７９】
図７においては、ターゲットコンテンツビュー情報がブルートゥース通信方式でメガネ装置に提供されるものとして説明したが、ペアリング過程でのみブルートゥース通信方式で行われ、ターゲットコンテンツビュー情報はＲＦ通信方式でメガネ装置に提供されてよい。
【００８０】
すなわち、ディスプレイ装置１００は、同期化信号はブルートゥース通信方式で伝送し、オーディオ信号はＲＦ通信方式で伝送することができる。この場合、ディスプレイ装置１００とメガネ装置２００の各々は、ブルートゥースモジュール、ＲＦ通信モジュールをすべて含まなければならない。なお、ブルートゥースモジュールがペアリングされることとは別に、ＲＦ通信モジュールもペアリングさせるべきである。ディスプレイ装置１００は、ブルートゥースペアリングが行われてから、ＲＦ通信モジュール（図示せず）を用いてペアリングパケットを伝送する。メガネ装置は、ペアリングパケットに対する応答信号を伝送してオーディオペアリングを行う。ディスプレイ装置１００は、メガネ装置２００とのオーディオペアリングが行われると、ＲＦ通信モジュールを用いてターゲットコンテンツビュー情報を伝送することができる。
【００８１】
図７においては、メガネ装置が新規でペアリングされる状態を説明したが、その他に、通信が途絶えた後、再接続される場合もあってよい。図８は、通信再接続動作を説明するためのタイミング図である。
【００８２】
図８によると、ディスプレイ装置１００はメガネ装置２００が通信接続された状態で同期化信号を伝送する（Ｓ８１０）。メガネ装置２００は複数のコンテンツビューのうちの一つと同期化されて駆動される（Ｓ８１５）。ユーザは、メガネ装置２００に設けられたボタンを用いてコンテンツビューを選択することができる。メガネ装置２００は、ボタンが選択されると、現在同期化されているコンテンツビューの次のコンテンツビューと同期化される。ディスプレイ装置１００から伝送される同期化信号に各コンテンツビューに対する同期化情報がすべて含まれているとすると、メガネ装置２００においては自主的にコンテンツビューを選択することができる。
【００８３】
このような状態で、ターンオフ命令が入力されると（Ｓ８２０）、メガネ装置２００は現在同期化されたコンテンツビューに対する情報を保存する（Ｓ８２５）。その他にも、メガネ装置２００はディスプレイ装置１００から受信された各種情報を保存することもできる。情報保存が完了すると、メガネ装置２００はターンオフ動作を行う（Ｓ８３０）。
【００８４】
ターンオフ命令はメガネ装置２００に設けられた電源ボタンの操作によって入力されてよく、ディスプレイ装置１００がターンオフされるとき、ディスプレイ装置１００から伝送されてよい。または、ユーザから別途のターンオフ命令が入力されなくても、メガネ装置２００は内部に設けられたモーション検知センサで一定時間以上動きが検知されない場合、メガネ装置でユーザの身体に直接触れる部分に設けられたタッチセンサで一定時間以上動きが検知されない場合にも、自動的に情報保存を行った後、ターンオフさせることもできる。
【００８５】
ターンオフ状態でターンオンが行われると（Ｓ８３５）、メガネ装置２００は予め保存されたディスプレイ装置１００のアドレス情報を用いてディスプレイ装置１００に対して通信再接続を要求する信号を伝送する（Ｓ８４０）。ディスプレイ装置１００は、それに応答してターゲットコンテンツビューに対する情報を伝送し（Ｓ８４５）、同期化信号を伝送する（Ｓ８５０）。メガネ装置２００は、ターゲットコンテンツビュー情報および同期化信号に基づいてターゲットコンテンツビューに同期化されて駆動される（Ｓ８５５）。
【００８６】
上述のように、メガネ装置２００は、ディスプレイ装置１００と最初に通信接続を行う場合の他に、通信再接続時にもリモコン制御が可能なコンテンツビューに直ちに同期化されてよい。メガネ装置２００およびディスプレイ装置１００は、上述のように、多様な通信方式によって通信接続されてよい。その一つとして、ブルートゥース規格によって通信接続が行われてよい。図９においては、ブルートゥース規格によるペアリング過程で伝送されるパケットフォーマットの一例を示す。
【００８７】
図９によると、パケットにはブルートゥースアドレス（３ＤＧ  ＢＤ  Ａｄｄｒｅｓｓ）、機器タイプ（Ｄｅｖｉｃｅ  Ｔｙｐｅ）、メガネ装置のバージョン情報（３ＤＧ  Ｖｅｒｓｉｏｎ  Ｎｏ．）、バッテリタイプ（Ｂａｔｔｅｒｙ  Ｔｙｐｅ）、残存バッテリ電圧（Ｒｅｍａｉｎｉｎｇ  Ｂａｔｔｅｒｙ  Ｖｏｌｔａｇｅ）、バッテリ充電状態（Ｂａｔｔｅｒｙ  Ｃｈａｒｇｉｎｇ  Ｓｔａｔｕｓ）、残存バッテリ率（Ｒｅｍａｉｎｉｎｇ  Ｂａｔｔｅｒｙ  Ｒａｔｉｏ）、残存バッテリ時間（Ｒｅｍａｉｎｉｎｇ  Ｂａｔｔｅｒｙ  Ｔｉｍｅ）、カラーシフト（Ｃｏｌｏｒ  Ｓｈｉｆｔ）に対する情報等が含まれてよい。
【００８８】
図９においては、１７バイトで構成されたパケット構成を示す。伝送パケットを１７バイトで構成する場合、１バイトおよび４バイトのリザーブ領域（Ｒｅｓｅｒｖｅｄ）が存在するようになる。このようなリザーブ領域には、多様な付加情報が記録されてよい。
【００８９】
一方、上述の多様な実施形態においては、複数のコンテンツのビデオデータを用いて複数のコンテンツビューをディスプレイするものとして説明したが、コンテンツは動画コンテンツであってよい。
【００９０】
図１０は、動画コンテンツを処理するための本発明の一実施形態に係るディスプレイ装置の構成を示すブロック図である。図１０によると、ディスプレイ装置１００は、リモコン信号受信部１１０と、制御部１２０と、同期化信号生成部１３０と、通信部１４０と、ＯＳＤ処理部１７０と、出力部１０００と、受信部１８１と、インターフェース部１８２および保存部１８３を含む。
【００９１】
出力部１０００は、コンテンツを処理して出力するための構成である。出力部１０００は、デマルチプレクサ１８４と、ビデオ処理部１５０と、ディスプレイ部１６０と、オーディオ処理部１９１と、オーディオ出力部１９２およびオーディオ信号伝送部１９３を含む。出力部１０００は、受信部１８１と、インターフェース部１８２および保存部１８３等を介してコンテンツの提供を受けて処理する。
【００９２】
受信部１８１は、放送網を通じて放送番組コンテンツを受信するための構成である。受信部１８１は、放送チャネルを選局するチューナ、選局された放送チャネルを通じて受信される放送信号を復調する復調器、復調された放送信号を等化する等化器等を含んでよい。受信部１８１は、ディスプレイ装置１００が使用される国で採択した放送規格によって多様な形態で実現されてよい。なお、図１０においては、一つの受信部１８１を示しているが、受信部１８１は複数で実現されてよい。すなわち、複数の放送番組を用いてマルチビュー機能を行う場合、制御部１２０は複数の受信部１８１を制御して互いに異なる放送チャネルを各々選局する。出力部１０００は、選局された各放送チャネルを通じて受信される放送信号を用いて複数のコンテンツビューを構成して画面上に交互に出力する。
【００９３】
インターフェース部１８２は、インターネットやその他のローカルネットワークを通じてサーバ装置からコンテンツファイルを受信する構成である。特に、インターネットを通じてウェブサーバにアクセスしてコンテンツファイルを受信するために、インターフェース部１８２はネットワークインターフェースカードで実現されてよい。
【００９４】
保存部１８３は、各種コンテンツファイルを保存する構成である。保存部１８３は、受信部１８１で受信される放送信号を録画した録画ファイルを保存することもでき、インターフェース部１８２を介してストリーミングされたりダウンロードされるコンテンツファイルを保存することもできる。その他に、保存部１８３はディスプレイ装置１００を駆動させるためのＯ／Ｓやその他のプログラム、ディスプレイ装置１００使用のためにユーザが設定した各種設定値等を保存することができる。特に、保存部１８３は、シングルビューモードで選択されたコンテンツに対する最終情報、マルチビューモードで選択されたコンテンツに対する最終情報等も保存する。制御部１２０は、ディスプレイ装置１００がターンオフの後にターンオンされたり、シングルビューモードおよびマルチビューモードの間でモード切り替えが行われる場合、保存部１８３に保存された最終情報を用いてコンテンツを選択する。それについては、具体的に後述する。
【００９５】
制御部１２０は、ユーザの選択により、ディスプレイ装置１００の動作全般を制御する。ディスプレイ装置１００は、マルチビューモードおよびシングルビューモードをサポートすることができる。マルチビューモードが行われる場合、制御部１２０は、受信部１８１と、インターフェース部１８２および保存部１８３等を用いて複数のコンテンツを獲得することができる。図１０には示していないが、ディスプレイ装置１００は、多様な外部記録媒体を装着して再生する再生装置を更に含んでよい。仮に、ＣＤやＤＶＤ、ブルーレイディスク、メモリカード、ＵＳＢメモリ等のような多様な記録媒体が装着されると、その記録媒体に保存されたデータを読み取る再生手段を更に含んでよい。
【００９６】
デマルチプレクサ１８４は、受信部１８１と、インターフェース部１８２および保存部１８３等のような多様な手段を通じて獲得されるコンテンツからオーディオデータおよびビデオデータを分離する。分離されたビデオデータは、ビデオ処理部１５０に提供され、分離されたオーディオデータはオーディオ処理部１９１に提供される。
【００９７】
ビデオ処理部１５０は、提供されたビデオデータに対するデコードを行い、画面のサイズに合うようにスケーリングした後、フレームレートを出力レートに合わせて変換する等の処理を行う。マルチビューモードが開始される場合、ビデオデータ１５０は異なるコンテンツのビデオデータを用いて各々のビデオフレームを生成した後、生成されたビデオフレームをトップツーボトム（Ｔｏｐ−ｔｏ−Ｂｏｔｔｏｍ）フォーマットまたはサイドバイサイド（Ｓｉｄｅ−ｂｙ−Ｓｉｄｅ）フォーマットで接続して出力ビデオデータを生成する。
【００９８】
ディスプレイ部１６０は、ビデオ処理部１５０から生成された出力ビデオデータを用いて、画面上に複数のコンテンツビューを交互にディスプレイする。ディスプレイ部１６０は、ディスプレイパネル（図示せず）およびバックライトユニット（図示せず）を含むＬＣＤディスプレイで実現されてよいが、その他に、ＯＬＥＤタイプや、ＰＤＰタイプおよびその他の多様な形態のディスプレイで実現されてよい。
【００９９】
オーディオ処理部１９１は、デマルチプレクサ１８４から提供されるオーディオデータに対して、デコード、ノイズフィルタリング、増幅等のような多様な処理を行う。オーディオ処理部１９１は、処理されたオーディオデータをオーディオ出力部１９２またはオーディオ信号伝送部１９３に提供する（Ｓ１９３）。オーディオ出力部１９２とは、スピーカのようにオーディオ信号を出力する構成であり、オーディオ信号伝送部１９３はオーディオ信号を変調して外部装置に伝送するための構成である。
【０１００】
オーディオ信号伝送部１９３は、ＲＦ通信モジュールを含む。オーディオ信号伝送部１９３はメガネ装置２００に備えられたＲＦ通信モジュールとともにペアリングを行い、オーディオ信号だけでなく、ターゲットコンテンツビュー情報、音量情報等のような多様な情報を伝送してよい。
【０１０１】
制御部１２０は、上述のように、シングルビューモードまたはマルチビューモードで動作することができる。シングルビューモードまたはマルチビューモードは、メニュー画面上で選択することができる。仮に、制御部１２０は、リモコン信号受信部１１０またはディスプレイ装置１００の本体に設けられたキー等を通じてメニュー命令が入力されると、ディスプレイ装置１００で実行可能な各種メニューを含むメニュー画面をディスプレイする。制御部１２０は、メニュー画面上でマルチビューメニューが選択されると、上述のように、複数のコンテンツビューを生成してマルチビューモードを行う。
【０１０２】
マルチビューメニューが選択されると、制御部１２０は、デフォルト値を用いて直ちに複数のソースを選択し、複数のコンテンツビューを生成することもできるが、他に、ユーザが任意にコンテンツビューの数、ソース、コンテンツ等を選択できるように実現することもできる。すなわち、マルチビューメニューが選択されると、制御部１２０はコンテンツビューの数、コンテンツビューのソース、コンテンツネーム等を選択できるコンテンツ選択画面をディスプレイ部１６０を介してディスプレイすることができる。
【０１０３】
ユーザがコンテンツビューの数を２に選択し、各コンテンツビューのソースをテレビ放送信号に選択したとすると、制御部１２０は２つの放送信号を受信して二つのコンテンツビューを生成するように、受信部１８１および出力部１０００を制御する。
【０１０４】
この場合、制御部１２０は、保存部１８３に保存された最終情報を用いて各コンテンツビューに表示されるコンテンツを決定することができる。最終情報とは、ソース情報、チャネル情報、音量情報等であってよい。
【０１０５】
すなわち、以前のマルチビューモードで第１および第２コンテンツビューのソースとしてテレビ信号が選択され、第１コンテンツビューには１０番の放送チャネル、第２コンテンツビューには１１番の放送チャネルが選局されてディスプレイされていたと仮定する。このような状態で、マルチビューモードが終了したり、ディスプレイ装置１００がターンオフされると、制御部１２０は各コンテンツビューの放送チャネル情報を保存部１８３に保存する。放送チャネル情報以外にも音量情報も併せて保存することができる。その後に、制御部１２０は再びマルチビューモードが開始されると、保存されたチャネル情報を用いて１０番のチャネル、１１番のチャネルを選局した後、そのチャネルを通じて受信される放送信号を各々用いて、第１および第２コンテンツビューを生成するように制御する。音量情報も確認して、第１および第２コンテンツビューとともに提供されるオーディオ信号の音量レベルを各々の最終値に調整するように制御する。
【０１０６】
別の例として、ディスプレイ装置１００に接続されたＵＳＢメモリスティックや、ディスプレイ装置１００内に設けられたハードディスクに保存されたコンテンツが第１コンテンツビューのコンテンツに選択され、２０番の放送チャネルが第２コンテンツビューのコンテンツに選択されて提供されている状態を仮定する。このような状態で、マルチビューモードが終了したり、ターンオフが行われると、制御部１２０は当該コンテンツの再生を停止しつつ、そのコンテンツの保存アドレス、コンテンツネーム、再生停止時点等を保存部１８３に保存する。その後に、再びマルチビューモードが実行されると、制御部１２０は再生停止された時点からコンテンツを再び再生して第１コンテンツビューを構成し、２０番の放送チャネルを再度選局して第２コンテンツビューを構成する。
【０１０７】
または、制御部１２０は、各コンテンツビューのソースでウェブサーバや保存媒体が選択されると、インターフェース部１８２や保存部１８３を介してコンテンツを受けて出力部１０００を制御する。
【０１０８】
上述のメニュー画面や、コンテンツ選択画面等は、ＯＳＤ処理部１７０によって生成されてよい。すなわち、ＯＳＤ処理部１７０は制御部１２０の制御によって多様なＯＳＤメッセージを生成してディスプレイ部１６０に提供する。ディスプレイ部１６０は、ＯＳＤメッセージを画面上のビデオフレームにオーバーレイさせてレンダリングする。その他にも、ＯＳＤ処理部１７０はリモコン制御権限、ペアリング状態、チャネル番号、音量レベル、放送情報等のような多様なＯＳＤメッセージを生成することができる。
【０１０９】
一方、ディスプレイ装置１００が単一ビューモードで動作している場合には、制御部１２０は現在ディスプレイされているコンテンツのビデオフレームに同期化させてオーディオ信号を出力するように、オーディオ処理部１９１およびオーディオ出力部１９２を制御する。それにより、ディスプレイされるビデオフレームに合うオーディオ信号がスピーカを通じて出力されるため、２Ｄコンテンツの場合には、ユーザはメガネ装置がなくとも当該コンテンツを視聴することができる。
【０１１０】
一方、マルチビューモードが開始されると、制御部１２０は複数のコンテンツからデマルチプレキシングされたオーディオデータを各々処理して複数のオーディオ信号を生成するようにオーディオ処理部１９１を制御する。そして、制御部１２０は、生成された複数のオーディオ信号を互いに異なるチャネルを通じて出力するように、オーディオ信号伝送部１９３を制御することができる。ここで、互いに異なるチャネルとは、互いに異なる無線周波数信号チャネルであってよい。すなわち、オーディオ信号伝送部１９３は、各オーディオ信号を互いに異なる無線周波数を有する放送波で各々変調させた後、伝送することができる。それにより、各メガネ装置は自分が同期化されたコンテンツビューに対応する周波数情報を用いて周波数チャネルをチューニングした後、その周波数チャネルを通じて受信されるオーディオ信号を復調してオーディオを出力する。または、オーディオ信号伝送部１９３は、各オーディオ信号を通信部１４０によって伝送可能な通信フォーマットによるオーディオストリームで構成して通信部１４０を介して伝送することもできる。各メガネ装置は、オーディオストリーム内で、現在同期化されたコンテンツビューに対応するオーディオ信号を検出してメガネ装置に付着されたスピーカやイヤホン等を通じて出力することができる。
【０１１１】
音量情報が保存されていない場合、制御部１２０は複数のオーディオ信号の音量レベルをデフォルト値に同様に設定することができる。すなわち、オーディオ信号の音量レベルは各メガネ装置で調整されてよい。各メガネ装置は、ディスプレイ装置１００とのペアリングが行われると、制御部１２０によってデフォルト値に設定された音量レベルにオーディオ信号を増幅（アップまたはダウン）させて出力する。一方、各メガネ装置は、通信が途絶えた後に再接続が行われると、通信が途絶える以前に設定されていた音量レベルにオーディオ信号を増幅させて出力する。メガネ装置の構成に対しては、具体的に後述する。
【０１１２】
図１０の実施形態でも、制御部１２０はリモコン制御権限をユーザの選択によって各コンテンツビューに対して順次に与えてターゲットコンテンツビューを変更することができる。なお、メガネ装置との通信が接続されると、このようなターゲットコンテンツビューに対する情報を当該メガネ装置に提供し、メガネ装置がターゲットコンテンツビューに直ちに同期化されるようにする。
【０１１３】
その他に、同期化信号生成部１３０および通信部１４０に対しては、上述の図３に対する説明部分で具体的に記載しているため、繰り返し説明は省略する。
【０１１４】
図１０に示すように、ディスプレイ装置１００は放送局や、サーバ装置、その他の保存媒体等のような多様なソースから提供されるコンテンツを用いてマルチビュー機能を行うことができる。しかし、図１０は、一実施形態に過ぎず、その中の一部は削除または変更されてよい。仮に、ディスプレイ装置１００がインターネット接続が不可なテレビで実現された場合、複数の受信部のみを含み、これらの受信部を介して受信される放送信号のみをマルチビュー機能に利用する形態で実現されることは勿論である。
【０１１５】
上述の実施形態において、制御部１２０は多様な形態で実現されてよい。図１１は、制御部の構成の一例を示すブロック図である。
【０１１６】
図１１によると、制御部１２０は、ＲＯＭ（Ｒｅａｄ  Ｏｎｌｙ  Ｍｅｍｏｒｙ）１２１と、ＲＡＭ（Ｒａｎｄｏｍ  Ａｃｃｅｓｓ  Ｍｅｍｏｒｙ）１２２と、ＣＰＵ（Ｃｅｎｔｒａｌ  Ｐｒｏｃｅｓｓｉｎｇ  Ｕｎｉｔ）１２３と、ＧＰＵ（Ｇｒａｐｈｉｃｓ  Ｐｒｏｃｅｓｓｉｎｇ  Ｕｎｉｔ）１２４およびバス（Ｂｕｓ）１２５を含む。ＲＯＭ１２１と、ＲＡＭ１２２と、ＣＰＵ１２３およびＧＰＵ１２４等は、バス１２５を通じて互いに接続されてよい。図示はないが、その他のレジスタやインターフェースが制御部１２０内に設けられてよい。
【０１１７】
ＣＰＵ１２３は、保存部１８３にアクセスして、保存部１８３に保存されたＯ／Ｓを用いてブート処理を行う。そして、保存部１８３に保存された各種プログラム、コンテンツ、データ等を用いて多様な動作を行う。
【０１１８】
ＲＯＭ１２１には、システムのブート処理のための命令語セット等が保存される。ターンオン命令が入力されて電源が供給されると、ＣＰＵ１２３は、ＲＯＭ１２１に保存された命令語に従って保存部１８３に保存されたＯ／ＳをＲＡＭ１２２にコピーし、Ｏ／Ｓを実行させてシステムをブートさせる。ブート処理が完了すると、ＣＰＵ１２３は、保存部１８３に保存された各種アプリケーションプログラムをＲＡＭ１２２にコピーし、ＲＡＭ１２２にコピーされたアプリケーションプログラムを実行させて各種動作を行う。ＣＰＵ１２３は、マルチビュー機能を選択するためのリモコン信号が入力されると、マルチビュー機能を実行するためのプログラムをＲＡＭ１２２にローディングさせ、実行する。ＣＰＵ１２３は、リモコン信号が受信されると、当該プログラムを用いて現在リモコン制御権限が設定されたターゲットコンテンツビューを選択し、そのターゲットコンテンツビューに対してリモコン信号に対応する処理を行うための制御コマンドを出力部１０００に伝送する。
【０１１９】
なお、ＣＰＵ１２３は、新規メガネ装置との通信が接続されると、ターゲットコンテンツビューに対する情報を当該メガネ装置に伝送する。その他に、ＧＰＵ１２４は多様なグラフィック客体を生成して画面上にディスプレイする役割を果たす。図１１に示す制御部１２０の構成は、一例に過ぎず、制御部１２０はその他にも多様な形態で実現されることは勿論である。
【０１２０】
図１２は、本発明の一実施形態に係るディスプレイ装置のマルチビューディスプレイ方法を説明するためのフローチャートである。図１２によると、マルチビューディスプレイ方法は、複数のコンテンツを処理して複数のビデオフレームを生成し、各ビデオフレームを交互に配置して複数のコンテンツビューを提供する（Ｓ１２１０）。ここで、複数のコンテンツは、以前のマルチビューモードの最終情報に基づいて選択されてよい。
【０１２１】
ディスプレイ装置１００は、各コンテンツビューに対する同期化信号を伝送する（Ｓ１２２０）。このような状態で、新規メガネ装置との通信が接続されると（Ｓ１２３０）、ディスプレイ装置は現在リモコンによって制御可能なターゲットコンテンツビューを判断する（Ｓ１２４０）。ターゲットコンテンツビューが確認されると、ディスプレイ装置はターゲットコンテンツビューに対する情報をメガネ装置に伝送することができる（Ｓ１２５０）。このような情報は、同期化情報と別途に伝送されてよいが、実施形態によっては、同期化信号内の一部領域に挿入されると同時に伝送されてよい。ターゲットコンテンツビュー情報のフォーマットや大きさに対しては、サポート可能なコンテンツビューの数や同期化信号の全サイズ等のような多様な要因を考慮して最適値に設定されてよい。一例として、二桁のデジタルコードを用いてどのようなコンテンツビューがターゲットコンテンツビューかを通知することができる。
【０１２２】
新規メガネ装置は、通信接続の後にターゲットコンテンツビュー情報に応じてターゲットコンテンビューに直ちに同期化される。それにより、新規メガネ装置を着用したユーザは直ちにリモコンを用いて自分のコンテンツビューに対する処理動作を制御することができるようになる。
【０１２３】
図１３は、本発明の一実施形態に係るメガネ装置の構成を示すブロック図である。図１３によると、メガネ装置２００は、第１および第２シャッタグラス部２１０、２２０と、シャッタグラス駆動部２３０と、制御部２４０および通信部２５０を含む。
【０１２４】
第１および第２シャッタグラス部２１０、２２０は、各々、複数の透明電極、透明電極の間に配置された液晶層、偏光板、それらを支える透明基板等を含む。それにより、複数の透明電極に印加される電圧によって液晶層の各液晶がターンオンまたはターンオフされる。ターンオフ状態では、光の透過が遮断され、ターンオン状態では一般グラスのように光を透過させる。
【０１２５】
シャッタグラス駆動部２３０は、第１および第２シャッタグラス部２１０、２２０に備えられた透明電極に接続された駆動回路を含む。シャッタグラス駆動部２３０は、第１および第２シャッタグラス部２１０、２２０に設けられた透明電極に駆動信号を印加し、第１および第２シャッタグラス部２１０、２２０を各々個別に駆動させる。シャッタグラス駆動部２３０は、３Ｄコンテンツが再生中である際には、第１および第２シャッタグラス部２１０、２２０を一つずつ交互にターンオンまたはターンオフさせ、マルチビュー機能が実行中の際には、第１および第２シャッタグラス部２１０、２２０を一括でターンオンまたはターンオフさせる。
【０１２６】
通信部２５０は、ディスプレイ装置１００との通信接続が開始されると、ディスプレイ部１００から多様な信号を受信する。具体的には、通信部２５０は複数のコンテンツビューのうち、リモコンによって制御可能なターゲットコンテンツビューに対する情報と、同期化信号等を受信してよい。
【０１２７】
制御部２４０は、メガネ装置２００の動作全般を制御する。具体的には、制御部２４０は、ディスプレイ装置１００からターゲットコンテンツビュー情報が受信されると、ターゲットコンテンツビューに同期させて、第１および第２シャッタグラス部２１０、２２０を駆動させるように、シャッタグラス駆動部２３０を制御する。
【０１２８】
ターゲットコンテンツビュー情報は、メガネ装置２００およびディスプレイ装置１００の間の通信が接続されると、ディスプレイ装置１００から伝送されてよい。したがって、メガネ装置２００は通信が接続されると、リモコンで制御可能でありつつ、各種メッセージが表示できるコンテンツビューに直ちに同期化させることができる。
【０１２９】
一方、上述のように、複数のコンテンツをディスプレイするマルチビュー機能が実行中の場合には、各メガネ装置は同期化されたコンテンツのオーディオデータを個別に提供することができる。
【０１３０】
図１４は、オーディオデータを提供することができるメガネ装置の構成を示すブロック図である。図１４によると、メガネ装置２００は、第１シャッタグラス部２１０と、第２シャッタグラス部２２０と、シャッタグラス駆動部２３０と、制御部２４０と、通信部２５０と、オーディオ信号受信部２６１と、オーディオ信号処理部２６２と、オーディオ出力部２６３と、入力部２７０および保存部２８０を含む。
【０１３１】
第１および第２シャッタグラス部２１０、２２０とシャッタグラス駆動部２３０の動作は、図１３において説明しているため、繰り返し説明は省略する。
【０１３２】
入力部２７０は、ユーザがメガネ装置２００の動作を制御することができるようにするために設けられた各種キーを含む。具体的には、電源キーや、ペアリングキー、コンテンツビュー転換キー、音量調整キー等が入力部２７０に設けられてよい。これらのキーは、プッシュボタンやダイヤル、ジョグシャトル、ホイール、タッチパッド等のような多様な形態で実現されてよい。
【０１３３】
制御部２４０は、入力部２７０に設けられた各種キーの操作状態によって多様な制御動作を行うことができる。仮に、ターンオフ状態で電源キーが選択されると、制御部２４０は、バッテリ（図示せず）から各構成要素への電源供給を再開してターンオン動作を行い、ターンオン状態で電源キーが選択されると、制御部２４０はスイッチ（図示せず）を用いて電源供給を遮断する。
【０１３４】
なお、ディスプレイ装置とのペアリングを行うためのペアリングキーが選択されると、制御部２４０は通信部２５０を制御してペアリングを行う。具体的には、制御部２４０は、通信部２５０を制御し、ディスプレイ装置にペアリングトリガー信号を伝送する。その後に、通信部２５０によってディスプレイ装置のアドレス情報が受信されると、制御部２４０はアドレス情報を保存部２８０に保存する。通信部２５０は、保存されたアドレス情報を用いてディスプレイ装置と通信接続を行う。通信部２５０は、ペアリング過程で獲得されたアドレス情報を通信の再接続時にも利用することができる。すなわち、メガネ装置２００がディスプレイ装置１００と通信接続されて使用中に、ディスプレイ装置の電源がターンオフされてからターンオンされると、制御部２４０は、保存部２８０に保存されたアドレス情報を用いてディスプレイ装置と通信再接続を行うように通信部２５０を制御する。
【０１３５】
保存部２８０には、ディスプレイ装置から受信されたアドレス情報の他にも、通信部２５０を介して受信される同期化信号、ターゲットコンテンツビュー情報等のような多様なデータが保存されてよい。なお、保存部２８０には、メガネ装置を駆動させるための各種駆動プログラムも保存されてよい。
【０１３６】
オーディオ信号受信部２６１は、ディスプレイ装置から出力される複数のオーディオ信号のうち、メガネ装置に同期化されたコンテンツビューに対応するオーディオ信号を受信する。上述のように、ディスプレイ装置１００はマルチビュー機能を行うようになると、各コンテンツのオーディオデータを検出し、互いに異なる無線周波数チャネルを通じて出力することができる。オーディオ信号受信部２６１は、制御部２４０によって選択されたコンテンツビューに対応する無線周波数チャネル情報を用いて、無線周波数チャネルを選局してオーディオ信号を受信する。無線周波数チャネル情報は、ディスプレイ装置１００から伝送されるターゲットコンテンツビュー情報や同期化信号等に含まれて同時に伝送されてよく、別途の信号フォーマットでメガネ装置２００側に伝送されてよい。
【０１３７】
オーディオ信号処理部２６２は、オーディオ信号受信部２６１で受信されたオーディオ信号を処理してオーディオデータを検出する。具体的には、復調、ノイズフィルタリング、増幅等のような処理を行ってよい。
【０１３８】
オーディオ出力部２６３は、オーディオ信号処理部２６２で処理されたオーディオデータを出力する。オーディオ出力部２６３はスピーカの形態またはイヤホンの形態で実現されてよい。オーディオ出力部２６３は、オーディオデータ出力時には、そのオーディオデータに対して定められた音量レベルで出力することができる。音量調整は、出力端に設けられた可変抵抗を用いて行うことができる。すなわち、オーディオ出力部２６３は、入力部２７０に設けられた音量調整キーが操作されると、その操作状態によって可変抵抗値を変更し、出力されるオーディオ信号の音量レベルを変更することができる。
【０１３９】
制御部２４０は、入力部２７０を介して音量調整命令が入力されると、音量調整命令に従ってオーディオデータの音量を調整するようにオーディオ出力部２６３を制御する。このような状態で、メガネ装置をターンオフさせるためのターンオフ命令が入力部２７０を介して入力されると、制御部２４０は最終的に調整された音量情報を保存部２８０に保存する。それから、制御部２４０は、ターンオフ動作を行う。
【０１４０】
その後に、メガネ装置をターンオンさせるためのターンオン命令が入力部２７０を介して入力されると、制御部２４０は通信部２５０を制御してディスプレイ装置１００との通信を再接続する。それとともに、制御部２４０は、保存部２８０に保存された音量情報に基づいてオーディオデータの出力音量を調整するようにオーディオ出力部２６３を制御する。結果的に、メガネ装置２００は、通信再接続が行われる際には、ＯＳＤメッセージ表示やリモコン制御が可能なターゲットコンテンツビューに直ちに同期化され、以前に設定されていた音量レベルで直ちにオーディオ信号を出力することができるようになる。
【０１４１】
一方、ディスプレイ装置とのペアリングが行われた際には、制御部２４０はディスプレイ装置でデフォルト値に設定した音量レベルに応じてオーディオデータの初期音量を調整するようにオーディオ出力部２６３を制御することができる。
【０１４２】
図１５は、メガネ装置２００の外観構成の一例を示す。図１５によると、メガネ装置２００は複数のシャッタグラス部２１０、２２０を支えるメガネフレームと、そのメガネフレームで両耳の近くに配置される複数のオーディオ出力部２６３−１、２６３−２を含む。
【０１４３】
図１５においては、第１および第２シャッタグラス部２１０、２２０が四角であるとして示しているが、円形や楕円形等の多様な形状であってよい。図１５においては、オーディオ出力部２６３−１、２６３−２がスピーカの形態で実現されたものを示しているが、無論、オーディオ出力部２６３−１、２６３−２はイヤホンの形態で実現されてよい。
【０１４４】
図１６は、本発明の一実施形態に係るメガネ装置の駆動方法を説明するためのフローチャートである。図１６に示すように、メガネ装置はディスプレイ装置との通信接続が行われると（Ｓ１６１０）、ターゲットコンテンツビュー情報を受信する（Ｓ１６２０）。ここで、通信接続とは、ペアリング以外にも通信再接続が行われる場合も含む。そして、ターゲットコンテンツビュー情報とは、リモコン制御権限が与えられたコンテンツビューを指定する情報を意味する。ターゲットコンテンツビューを選択する方法については、上述の多様な実施形態で既に具体的に説明しているため、繰り返し説明は省略する。
【０１４５】
メガネ装置は、ターゲットコンテンツビュー情報が受信されると、その情報を用いてターゲットコンテンツビューに同期化される（Ｓ１６３０）。すなわち、左眼および右眼シャッタグラス部をターゲットコンテンツビューが出力されるタイミングに合わせて一括でターンオンさせ、他のコンテンツビューが出力されるタイミングでは一括でターンオフさせる。それにより、メガネ装置２００を着用したユーザは、自分の眼に見える初期コンテンツビューに対してすぐにリモコン制御を行うことができる。すなわち、放送チャネルをチューニングしたり、ＯＳＤメニューを表示してそのメニューに表示された機能を設定することができる。
【０１４６】
一方、ディスプレイ装置でディスプレイされるコンテンツがオーディオデータまで含む動画コンテンツである場合には、メガネ装置はディスプレイ装置で伝送されるオーディオ信号に対する処理も行わなければならない。
【０１４７】
図１７は、オーディオ信号処理を行うメガネ装置の駆動方法を説明するためのフローチャートである。図１７に示すように、メガネ装置はディスプレイ装置とのペアリングが行われた場合には（Ｓ１７１０）、ターゲットコンテンツビュー情報を受信し（Ｓ１７２０）、そのターゲットコンテンツビューに同期させて各シャッタグラス部を駆動させる（Ｓ１７３０）。そして、シャッタグラス部の駆動とともにオーディオ信号も出力する。オーディオ信号の出力音量レベルはディスプレイ装置で設定したデフォルト値や、以前のマルチビューモードで最終的に調整されて保存されていた最終情報に基づいて調整される（Ｓ１７４０）。
【０１４８】
一方、ペアリングではない通信再接続が行われた場合には（Ｓ１７５０）、メガネ装置はターゲットコンテンツビュー情報を用いて直ちに同期化を行う一方（Ｓ１７６０、Ｓ１７７０）、以前に調整された音量レベル情報を用いて出力音量を調整する（Ｓ１７８０）。すなわち、ユーザがしばらくメガネ装置をターンオフした後、再びターンオンさせるとしても、別途の音量調整動作なしに直ちに以前の音量でオーディオ信号を聴取することができるようになる。
【０１４９】
以上のように、本発明の多様な実施形態によると、複数のコンテンツビューを提供するマルチビュー機能が実行中の状態で、メガネ装置を新たにディスプレイ装置に接続させると、複数のコンテンツビューのうち、リモコンで制御可能な制御権限が与えられたターゲットコンテンツビューをすぐに見ることができるようになる。それにより、新たなメガネ装置を着用したユーザは、リモコンを用いて自分が望むコンテンツを選択することもでき、その他の多様な処理動作を選択することができる。結果的に、ユーザ便宜性が高まる。
【０１５０】
ディスプレイ装置１００は、ユーザの操作によって動作モードを切り替え、上述のマルチビューモードで動作することができる。仮に、ユーザがリモコンやディスプレイ装置１００の本体に備えられたボタンを操作すると、ディスプレイ装置１００は各種メニューを含むＵＩ画面をディスプレイする。ユーザは、ＵＩ画面上でマルチビューモードに切り替えるためのメニューを選択し、マルチビューモード実行に必要な各種オプションを選択して、マルチビューモードを利用することができる。
【０１５１】
図１８および図１９は、本発明の多様な実施形態に係るディスプレイ装置１００の画面構成例を示す。
【０１５２】
図１８によると、ディスプレイ装置１００がテレビ受信モードで動作しながら、テレビ放送チャネル画面１８００（例えば、１０番のチャネル）をディスプレイしている状態で、ユーザがメニューボタンを選択すると、画面１８００上にはＧＵＩ（Ｇｒａｐｈｉｃａｌ  Ｕｓｅｒ  Ｉｎｔｅｒｆａｃｅ）メニュー１８１０、１８２０、１８３０が表示される。メニューには、インターネットを接続するためのメニュー１８１０と、マルチビューモードで動作するためのメニュー１８２０と、３Ｄモードで動作するためのメニュー１８３０等のように、多様なメニューが含まれてよい。ディスプレイ装置１００が、図１０に示す構成のように実現されたなら、ＯＳＤ処理部１７０が上述のメニュー１８１０、１８２０、１８３０をディスプレイすることができる。ＯＳＤ処理部１７０は、演算部（図示せず）、レンダリング部（図示せず）、バッファ部（図示せず）を含む形態で構成されてよい。演算部は、保存部１８３に保存された画面のレイアウトデータに基づいて、当該画面のレイアウトによって各客体が表示される座標値、形態、大きさ、カラー等のような属性値を演算する。レンダリング部は、演算部で演算した属性値に基づいて、図１８に示すようなメニュー１８１０、１８２０、１８３０を生成する。レンダリング部から生成されたメニューデータは、バッファ部に保存される。バッファ部に保存されたメニューデータはディスプレイ部１６０によってディスプレイされる。
【０１５３】
ユーザは、ディスプレイ装置１００の画面をタッチしたり、リモコンやディスプレイ装置本体等に備えられた方向キーおよび確認キーを操作する方式でメニューのうちの一つを選択することができる。
【０１５４】
マルチビューモード１８２０が選択された場合、ディスプレイ装置１００はマルチビューモードで提供するコンテンツビューの数を設定するためのＵＩ１８３０をディスプレイする。仮に、２、３または４のコンテンツビューを提供できる場合、図１８に示すように、ＵＩ１８３０内にはデュアルビュー選択メニュー１８３１、トリプルビュー選択メニュー１８３２、クワドループルビュー選択メニュー１８３３が表示されてよい。
【０１５５】
ユーザがデュアルビュー選択メニュー１８３１を選択したなら、二つのコンテンツビューに対するプレビュー画面１８４０、１８５０が表示されてよい。制御部１２０は、保存部１８３に保存された視聴履歴情報を用いてプレビュー画面１８４０、１８５０を構成することができる。具体的には、制御部１２０は、マルチビューモードが実行された後に終了する度に、各コンテンツビューで提供していたコンテンツまたはその入力ソースに対する情報を保存部１８３に保存することができる。更には、制御部１２０は、各コンテンツビューに対して当該コンテンツの再生時に適用可能なオプション情報、例えば、音量、カラー、輝度、コントラスト、字幕表示、言語等に対する情報も併せて保存することができる。制御部１２０は、今後マルチビューモードが再び実行される場合、保存部１８３に保存されたこのような情報を用いてビデオ信号およびオーディオ信号を処理するように出力部１０００を制御する。
【０１５６】
仮に、図１８に示すように、プレビュー画面のうちの一方１８４０には、現在まで視聴していた画面（すなわち、１０番の放送チャネル）が表示され、他方１８５０には、以前のマルチビューモードで選択していた最終入力ソースと同様の入力ソースから提供される画面が表示される。図１８においては、以前に３０番の放送チャネルを通じて受信される放送信号画面が第２コンテンツビュー１８５０に自動的に設定される。
【０１５７】
ユーザはプレビュー画面１８４０、１８５０を見ながら、各コンテンツビューにマッチするコンテンツまたは入力ソースを変更することができる。制御部１２０は、プレビュー画面１８４０、１８５０の下側にはチャネル変更が可能なことを報知するガイドイメージまたはチャネル変更のためのメニュー１８４１、１８５１を表示するように、ＯＳＤ処理部１７０を制御することができる。ユーザは、メニュー１８４１、１８５１を直接タッチしたり、リモコンに備えられたボタンを用いて各コンテンツビュー別にチャネルを変更することができる。
【０１５８】
各コンテンツビューにマッチするコンテンツまたは入力ソースに対する選択が完了すると、ユーザはリモコンやディスプレイ装置１００の本体に付着された確認ボタンを選択し、マルチビューモード動作設定作業を終了させることができる。制御部１２０は、確認ボタンが選択されると、各ＵＩを通じて設定された設定値によって、複数のコンテンツビューを生成するように出力部１０００を制御する。図１８によると、１０番の放送チャネル画面、３０番の放送チャネル画面が各々コンテンツビュー１および２（１８００−１、１８００−２）に提供されている状態を示す。
【０１５９】
図１８においては、テレビ入力ソースを利用するマルチビューモードに対して説明してきたが、上述のように、入力ソースはテレビの他にも、ＤＶＤやブルーレイ再生装置等のような記録媒体再生装置に設定されてよい。したがって、マルチビューモード動作設定作業を行うためのＵＩには、入力ソースを選択するためのメニューも含まれてよい。
【０１６０】
図１９は、このようなメニューを含むＵＩ構成例を示す。図１９によると、ディスプレイ装置１００が放送チャネル画面１９００をディスプレイされている状態で、メニューボタンが選択されると、選択可能な各種メニューを含むＵＩ１９１０がディスプレイされる。各メニューはアイコンやテキストの形態で構成されてディスプレイされてよい。ユーザが、ＵＩ１９１０内でマルチビューモードメニュー１９１１を選択すると、ディスプレイ装置１００はサポート可能な複数のコンテンツビューに対して各々入力ソースおよびコンテンツを選択することができるＵＩ１９２０、１９３０をディスプレイする。
【０１６１】
図１９においては、ディスプレイ装置１００が二つのコンテンツビューのみをサポートできる場合を仮定して、直ちに二つのＵＩ１９２０、１９３０が表示されたものとして示しているが、ディスプレイ装置１００が二つ以上のコンテンツビューをサポートすることができる場合には、図１８に示すように、コンテンツビューの数を選択するためのＵＩを先に表示し、ユーザ選択を受けることもできる。
【０１６２】
各ＵＩ１９２０、１９３０には、ソースを選択することができるタップ１９２１、１９３１と、当該ソース内でコンテンツを選択することができるタップ１９２２が表示される。ＤＶＤの場合、チャネル選択のような追加手続きが不要であるため、ＵＩ１９３０にはソース選択タップ１９３１のみが活性化されて表示されてよいが、テレビやその他の外部入力ソースのように、コンテンツ選択が必要な場合には、コンテンツ選択タップ１９２２が活性化されて表示されてよい。
【０１６３】
図１９においては、コンテンツビュー１に対するＵＩ１９２０でソースとしてテレビが選択され、そのテレビソースのうち、１０番の放送チャネルが選択され、コンテンツビュー２に対するＵＩ１９３０ではソースとしてＤＶＤが選択された状態を示す。それにより、第１コンテンツビュー１９００−１には１０番の放送チャネルの映像がディスプレイされ、第２コンテンツビュー１９００−２にはＤＶＤ再生画面がディスプレイされる。
【０１６４】
一方、各ＵＩ１９２０、１９３０には、以前のマルチビューモードで選択していたソースおよびコンテンツ種類が一番先に表示されていてよい。ユーザは表示されたソースおよびコンテンツ種類をそのまま利用したり、変更して設定することができる。
【０１６５】
上述のように、ディスプレイ装置はメガネ装置がペアリングされる時、または通信が途絶えてから再接続される時、リモコン制御権を有するコンテンツビューにマッチされるように情報を提供する。図２０は、ディスプレイ装置およびメガネ装置の間の具体的な接続過程および情報提供過程を具体的に説明するためのタイミング図である。
【０１６６】
図２０によると、ディスプレイ装置１００は、ＣＰＵ、ＢＴ＿ＴＸ、Ａｕｄｉｏ  ＴＸを含む。ＣＰＵ、ＢＴ＿ＴＸ、Ａｕｄｉｏ  ＴＸは、各々制御部１２０と、通信部１４０およびオーディオ信号伝送部１９３に対応する実現例である。なお、メガネ装置２００は、ＢＴ＿ＲＸ、Ａｕｄｉｏ  Ｒｘを含む。ＢＴ＿ＲＸ、Ａｕｄｉｏ  Ｒｘは、各々メガネ装置２００内の通信部２５０と、オーディオ信号受信部２６１に対応する実現例である。
【０１６７】
図２０によると、ユーザがメガネ装置でペアリングボタンを押すと、ペアリングが開始される。それにより、ＢＴ＿ＲＸ２５０は、インクワイアリー（ｉｎｑｕｉｒｙ）をＢＴ＿ＴＸ１４０に伝送する。ＢＴ＿ＲＸ２５０およびＢＴ＿ＴＸ１４０は、規格によって定められる過程（Ｂａｓｅｂａｎｄ  ａｃｋ等）を順次行う。
【０１６８】
ＢＴ＿ＲＸ２５０は、それと別途にＡｕｄｉｏ  Ｒｘ２６１にペアリング開始信号（ＧＰＩＯ）を伝送する。Ａｕｄｉｏ  Ｒｘ２６１はその信号によって活性化される。
【０１６９】
一方、ＢＴ＿ＴＸ１４０は、ＣＰＵ１２０にＥＩＲ  Ｈａｎｄｓｈａｋｅ  ｅｖｅｎｔ（ＨＣＩ）を通知する。ＣＰＵ１２０は、その通知により、３Ｄオーディオメガネを使用するか否かを選択する。具体的には、３Ｄオーディオメガネを使用するか否かを問い合わせるためのＵＩをディスプレイし、ユーザが選択するように実現することができる。
【０１７０】
メガネを使用すると判断されると、ＣＰＵ１２０はＡｕｄｉｏ  Ｔｘ１９３にペアリング開始およびリモコン制御信号を伝送する。Ａｕｄｉｏ  Ｔｘ１９３は、当該信号が受信されると、ペアリングのためのパケットＡをブロードキャストする。一方、Ａｕｄｉｏ  Ｔｘ１９３はメガネを使用しないと判断されると、ペアリング中止のためのパケットＢをブロードキャストする。
【０１７１】
Ａｕｄｉｏ  Ｒｘ２６１は、パケットＡが定められた時間内に受信されなかったり、パケットＢが受信されると、ペアリングに失敗していることをＢＴ＿ＲＸ２５０に通知する。一方、パケットＡが受信されると、Ａｕｄｉｏ  Ｒｘ２６１はＡｕｄｉｏ  Ｔｘ１９３にＡｃｋを伝送する。
【０１７２】
Ａｕｄｉｏ  Ｔｘ１９３は、Ａｃｋが伝送されると、現在リモコン制御が可能なコンテンツビュー、すなわち、ターゲットコンテンツビューに対する情報をＡｕｄｉｏ  Ｒｘ２６１に伝送する。Ａｕｄｉｏ  Ｒｘ２６１はＡｃｋを返信する。Ａｕｄｉｏ  Ｔｘ１９３はＡｃｋが受信されると、ペアリング完了信号をＣＰＵ１２０に伝送する。
【０１７３】
Ａｕｄｉｏ  Ｒｘ２６１はＡｃｋの返信後に、ターゲットコンテンツビューに対する情報を含むペアリング完了信号をＢＴ＿ＲＸ２５０に伝送する。ＢＴ＿ＲＸ２５０はターゲットコンテンツビューに対する情報を制御部２４０に提供し、制御部２４０はターゲットコンテンツビューに直ちに同期化されるようにシャッタグラス駆動部２３０を制御する。このような過程を経てペアリングおよび初期同期化が行われてよい。
【０１７４】
図２０においては、メガネ装置２００内で通信部２５０と、オーディオ信号受信部２６１が上述の動作をすべて処理するとして示されているが、一部の過程は制御部２４０が介入することもできる。
【０１７５】
図２１は、図２０のような方式でペアリングが行われた際、メガネ装置を通じて視聴できるディスプレイ画面構成の例を示す。
【０１７６】
図２１に示すように、第１コンテンツビュー２１１０および第２コンテンツビュー２１２０が提供されている状態で、第２コンテンツビュー２１２０がターゲットコンテンツビューの場合を示す。この場合、第１コンテンツビュー２１１０はメイン画面、第２コンテンツビュー２１２０はサブ画面で見ることができる。
【０１７７】
このような状態で、メガネ装置２００が新たにペアリングされると、メガネ装置２００はリモコン制御権がある第２コンテンツビュー２１２０に直ちに同期化される。ペアリングによって新たなメガネ装置２００が接続されると、各コンテンツビュー２１１０、２１２０には画面の種類を表せるＯＳＤ２１１１、２１２１が表示されてよい。なお、リモコン制御が可能なターゲットコンテンツビューに該当する第２コンテンツビュー２１２０にはリモコン制御権があることを報知するＯＳＤ２１２２が表示されてよい。それにより、メガネ装置２００を着用したユーザは最初に見せられる画面がサブ画面に該当し、リモコン制御が可能であることをすぐに知ることができるようになる。
【０１７８】
一方、上述の実施形態においては、メガネ装置が最初にペアリングされたり、通信が途切れた後に再接続される際、ユーザの意思とは関係なく、リモコン制御権を有するコンテンツビューに直ちに同期化されるとして説明したが、別の実施形態ではユーザが画面を選択することができるように実現されてよい。
【０１７９】
図２２は、本発明の別の実施形態に係るディスプレイ装置およびメガネ装置の動作を説明するための図である。
【０１８０】
図２２によると、第１および第２コンテンツビュー２２１０、２２２０が交互にディスプレイされている状態で、第１メガネ装置２００−１は第１コンテンツビュー２２１０にマッチし、第２メガネ装置２００−２は第２コンテンツビュー２２２０にマッチすることを示している。なお、リモコン３００によって制御可能なコンテンツビュー、すなわち、ターゲットコンテンツビューは第２コンテンツビュー２２２０に選択された状態を示す。このような状態で、新たなメガネ装置、すなわち、第３メガネ装置２００−３が接続されると、第３メガネ装置２００−３は、第２コンテンツビュー２２２０に直ちにマッチする。
【０１８１】
このとき、第１コンテンツビュー２２１０にはメインチャネルであることを報知するＯＳＤメッセージ２２１１と、第２コンテンツビュー２２２０にはサブチャネルであることを報知するＯＳＤメッセージ２２２１、メインチャネルまたはサブチャネルを選択せよという内容のＯＳＤメッセージ２２２２がディスプレイされる。ユーザは、ＯＳＤメッセージ２２２２を参照して、メインチャネルまたはサブチャネルを選択することができる。
【０１８２】
図２２では、リモコン制御権を有する一つの画面２２２０にのみＯＳＤメッセージ２２２２が表示されたとして示しているが、他には、第１および第２コンテンツビュー２２１０、２２２０のいずれにも表示されてよい。または、リモコン制御権の有無によらず、デフォルトで定められた一つのコンテンツビューのみに表示されてよい。
【０１８３】
以上のように、ディスプレイ装置は多様な方式で複数のコンテンツを提供することができる。上述のような多様な実施形態に係るディスプレイ装置のマルチビューディスプレイ方法や、メガネ装置の駆動方法はソフトウェアで生成され、ディスプレイ装置やメガネ装置に搭載されてよい。
【０１８４】
具体的には、本発明の一実施形態によると、ディスプレイ装置には複数のコンテンツビューを交互にディスプレイするステップと、前記複数のコンテンツビューに対する同期化信号を少なくとも一つのメガネ装置に伝送するステップと、新規メガネ装置および前記ディスプレイ装置の間の通信接続が行われると、前記複数のコンテンツビューのうち、リモコンによって制御可能なターゲットコンテンツビューを判断するステップと、前記新規メガネ装置が前記ターゲットコンテンツビューと同期化されるように前記ターゲットコンテンツビューに対する情報を前記新規メガネ装置に伝送するステップを行うプログラムが保存された非一時的な読み込み可能な媒体（ｎｏｎ−ｔｒａｎｓｉｔｏｒｙ  ｃｏｍｐｕｔｅｒ  ｒｅａｄａｂｌｅ  ｍｅｄｉｕｍ）が設置されてよい。
【０１８５】
なお、メガネ装置には複数のコンテンツビューを交互にディスプレイするディスプレイ装置との通信を接続するステップと、前記複数のコンテンツビューのうち、リモコンによって制御可能なターゲットコンテンツビューに対する情報を受信するステップと、前記ターゲットコンテンツビューに同期させて前記第１および第２シャッタグラス部を駆動させるステップとを行うプログラムが保存された非一時的な読み込み可能な媒体が設置されてよい。
【０１８６】
非一時的な読み込み可能な媒体とは、レジスタやキャッシュ、メモリ等のように、短い間データを保存する媒体ではなく、半永久的にデータを保存し、機器によって読み込み（Ｒｅａｄｉｎｇ）可能な媒体を意味する。具体的には、上述のプログラムは、ＣＤやＤＶＤ、ハードディスク、ブルーレイディスク、ＵＳＢ、メモリカード、ＲＯＭ等のような非一時的な読み込み可能な媒体に保存されて提供されてよい。
【０１８７】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１８８】
１００  ディスプレイ装置
１１０  リモコン信号受信部
１２０  制御部
１３０  同期化信号生成部
１４０  通信部
１５０  ビデオ処理部
１６０  ディスプレイ部
１７０  ＯＳＤ処理部
１８１  受信部
１８２  インターフェース部
１８３  保存部
１８４  デマルチプレクサ
１９１  オーディオ処理部
１９２  オーディオ出力部
１９３  オーディオ信号伝送部
２００  メガネ装置
２１０  第１シャッタグラス部
２２０  第２シャッタグラス部
２３０  シャッタグラス駆動部
２４０  制御部
２５０  通信部
２６１  オーディオ信号受信部
２６２  オーディオ信号処理部
２６３  オーディオ出力部
２７０  入力部
２８０  保存部
【図１】
2014032375.tif 000003
【図２】
2014032375.tif 000004
【図３】
2014032375.tif 000005
【図４】
2014032375.tif 000006
【図５】
2014032375.tif 000007
【図６】
2014032375.tif 000008
【図７】
2014032375.tif 000009
【図８】
2014032375.tif 000010
【図９】
2014032375.tif 000011
【図１０】
2014032375.tif 000012
【図１１】
2014032375.tif 000013
【図１２】
2014032375.tif 000014
【図１３】
2014032375.tif 000015
【図１４】
2014032375.tif 000016
【図１５】
2014032375.tif 000017
【図１６】
2014032375.tif 000018
【図１７】
2014032375.tif 000019
【図１８】
2014032375.tif 000020
【図１９】
2014032375.tif 000021
【図２０】
2014032375.tif 000022
【図２１】
2014032375.tif 000023
【図２２】
2014032375.tif 000024